(57)【要約】【課題】夜暗い場所などにおいても硬貨の回収・補充やメンテナンスの作業が行い易く、硬貨の残量の確認が行い易くなるようにする。【解決手段】投入硬貨を選別する硬貨選別部１０と、硬貨選別部１０で選別された硬貨を金種毎に収容する硬貨収容部２０とを備えた硬貨処理装置１であって、硬貨収容部２０は、筐体部２５と、該筐体部２５に対して着脱自在であって選別された硬貨を金種毎に収容するカセット２１と、筐体部２５に設置したＬＥＤ２６と、筐体部２５へのカセット２１の着脱を検知する着脱検知スイッチ２７と、を備え、着脱検知スイッチ２７による筐体部２５へのカセット２１の装着・取り外しの検知に応じてＬＥＤ２６を消灯・点灯するようにした。また、着脱検知スイッチ２７がカセット２１の装着を検知した後、所定時間が経過してからＬＥＤ２６が消灯するようにした。【選択図】図１
2009157657.tif 000002
【特許請求の範囲】
【請求項１】
投入硬貨の正偽および正貨の金種を判別して該投入硬貨を選別する硬貨選別部と、
前記硬貨選別部で選別された硬貨を金種毎に収容する硬貨収容部と、
を備えた硬貨処理装置であって、
前記硬貨収容部は、
筐体部と、
該筐体部に対して着脱自在であって、少なくとも前記硬貨を収容する部分が透明又は半透明に構成され、前記選別された硬貨を金種毎に収容するカセットと、
前記筐体部に設置した照明手段と、
前記筐体部への前記カセットの着脱を検知するカセット着脱検知手段と、
を備え、
前記カセット着脱検知手段による前記筐体部への前記カセットの装着の検知に応じて前記照明手段を消灯し、前記カセットの取り外しの検知に応じて前記照明手段を点灯するようにしたことを特徴とする硬貨処理装置。
【請求項２】
前記カセット着脱検知手段が前記カセットの装着を検知した後、所定時間が経過してから前記照明手段を消灯するようにしたことを特徴とする請求項１に記載の硬貨処理装置。
【請求項３】
投入硬貨の正偽および正貨の金種を判別して該投入硬貨を選別する硬貨選別部と、
前記硬貨選別部で選別された硬貨を金種毎に収容する硬貨収容部と、
を備えた硬貨処理装置であって、
前記硬貨収容部は、
筐体部と、
該筐体部に対して着脱自在であって、少なくとも前記硬貨を収容する部分が透明又は半透明に構成され、前記選別された硬貨を金種毎に収容するカセットと、
前記筐体部に設置した照明手段と、
を備え、
前記硬貨処理装置は、自動販売機が備える扉の開閉を検知する扉開閉検知手段の検知信号を入力するようになっており、
前記扉開閉検知手段による前記扉の開状態の検知に応じて前記照明手段を点灯し、前記扉の閉状態の検知に応じて前記照明手段を消灯するようにしたことを特徴とする硬貨処理装置。
【発明の詳細な説明】
【技術分野】
【０００１】
本発明は、自動販売機や両替機などに取り付けられる硬貨処理装置に関する。
【背景技術】
【０００２】
従来、例えば特許文献１に示すように、自動販売機や両替機などに取り付けられる硬貨処理装置がある。この種の硬貨処理装置は、投入硬貨の正偽および正貨の金種を判別して該投入硬貨を選別する硬貨選別部と、硬貨選別部で選別された硬貨を金種毎に収容する硬貨収容部とを備えて構成されている。このような硬貨処理装置は、通常、飲料などを販売する自動販売機における前扉の裏側（前扉を開いた内側）に取り付けられている。
【特許文献１】特開平２−４３６９８号公報
【発明の開示】
【発明が解決しようとする課題】
【０００３】
通常の自動販売機では、前扉の表側に商品サンプルを陳列する展示パネル部が設けられており、そこには蛍光灯などの照明が設置されているが、前扉を開けた裏側（内側）には、照明が設けられていない。また、前扉の裏側に設置されている硬貨処理装置にも照明は設けられていない。したがって、自動販売機の前扉を開けた内部は、外部からの採光がない状態では、暗い構造となっている。
【０００４】
このため、夜間暗い場所など、外部に十分な照明手段が無い場所に設置されている自動販売機において、硬貨処理装置に収納されている硬貨の回収や補充、あるいは硬貨処理装置のメンテナンスなどを行う場合、硬貨収容部やその周辺が暗いために作業が行い難いという問題があった。また、硬貨収容部やその周辺が暗いと、硬貨収容部に収納されている硬貨の残量の確認を容易に行えないという問題もあった。
【０００５】
本発明は上述の点に鑑みてなされたものでありその目的は、夜間暗い場所などにおいても硬貨の回収・補充やメンテナンスの作業が行い易く、硬貨の残量の確認が行い易い硬貨処理装置を提供することにある。
【課題を解決するための手段】
【０００６】
上記課題を解決するため本発明にかかる硬貨処理装置は、投入硬貨の正偽および正貨の金種を判別して該投入硬貨を選別する硬貨選別部と、硬貨選別部で選別された硬貨を金種毎に収容する硬貨収容部と、を備えた硬貨処理装置であって、硬貨収容部は、筐体部と、該筐体部に対して着脱自在であって選別された硬貨を金種毎に収容するカセットと、筐体部に設置した照明手段と、筐体部へのカセットの着脱を検知するカセット着脱検知手段と、を備え、カセット着脱検知手段による筐体部へのカセットの装着の検知に応じて照明手段を消灯し、カセットの取り外しの検知に応じて照明手段を点灯するようにしたことを特徴とする。
【０００７】
本発明にかかる硬貨処理装置によれば、筐体部からカセットを取り外した際、照明手段によって筐体部及びカセット並びにそれらの周辺が照らされるので、夜暗い場所などであっても硬貨収容部に収容された硬貨の回収や補充の作業が行い易くなる。また、硬貨処理装置のメンテナンスを行う際にカセットを取り外した状態で作業を行えば、照明手段によって筐体部及びその周辺が明るく照らされるので、メンテナンスが行い易くなる。また、カセットが不完全な状態で装着されていると照明手段が点灯したままになるので、カセットの装着異常を作業者に知らせることができる。このように照明手段をカセットの装着異常を報知する手段としても利用できるので、カセットの不完全な状態での装着を確実に防止できるようになる。
【０００８】
また、上記構成の硬貨処理装置では、カセット着脱検知手段がカセットの装着を検知した後、所定時間が経過してから照明手段が消灯するようにしてもよい。
【０００９】
この構成によれば、カセット装着後も暫くの間は照明手段が点灯していることで、筐体部及びその周辺が明るく照らされるため、カセットの装着状態などを確認でき、硬貨処理装置のメンテナンス性が向上する。
【００１０】
また、本発明の硬貨処理装置は、投入硬貨の正偽および正貨の金種を判別して該投入硬貨を選別する硬貨選別部と、硬貨選別部で選別された硬貨を金種毎に収容する硬貨収容部と、を備えた硬貨処理装置であって、硬貨収容部は、筐体部と、該筐体部に対して着脱自在であって選別された硬貨を金種毎に収容するカセットと、筐体部に設置した照明手段と、を備え、硬貨処理装置は、自動販売機が備える扉の開閉を検知する扉開閉検知手段の検知信号を入力するようになっており、扉開閉検知手段による扉の開状態の検知に応じて照明手段を点灯し、扉の閉状態の検知に応じて照明手段を消灯するようにしたことを特徴とする。
【００１１】
この構成によれば、自動販売機の扉を開ければ照明手段が点灯した状態になるので、夜暗い場所などであっても、自動販売機内における硬貨処理装置の位置を容易に確認でき、硬貨の回収や補充の作業が行い易くなる。また、硬貨処理装置および自動販売機の内部のメンテナンスが行い易くなる。さらに、硬貨の回収・補充や硬貨処理装置のメンテナンスの際、照明手段を消灯・点灯させる操作を行う必要がなくなるので、作業の手間が軽減される。
【００１２】
また、上記構成の硬貨処理装置では、カセットの少なくとも硬貨を収容する部分が透明又は半透明に構成されている。
【００１３】
この構成によれば、カセットを装着した状態で照明手段の光がカセットの硬貨を収容する部分を透過するようになるため、カセットに収容されている硬貨の残量を確認することが可能となる。また、カセットを装着した状態でカセットを透過する光によって硬貨処理装置の全体が照らされるので、硬貨処理装置のメンテナンスなどの作業がさらに行い易くなる。
【００１４】
また、上記構成の硬貨処理装置では、照明手段は、筐体部におけるカセットに対向する面に取り付けたシート状のＬＥＤであってもよい。
【００１５】
この構成によれば、照明手段をＬＥＤとしたことで、少ない消費電力でカセット装着部及びその周辺を明るく照らすことができる。また、照明手段をシート状のＬＥＤとしたことで、照明手段の設置スペース、特に厚さ方向の設置スペースが小さくて済むので、照明手段をカセットなど他の部品の邪魔にならないように設置することができる。
【発明の効果】
【００１６】
本発明にかかる硬貨処理装置によれば、夜暗い場所などにおいても硬貨の回収・補充やメンテナンスなどの作業が行い易くなり、硬貨の残量の確認が行い易くなる。
【発明を実施するための最良の形態】
【００１７】
以下、添付図面を参照して本発明の実施形態を詳細に説明する。
〔第１実施形態〕
図１は、本発明の第１実施形態にかかる硬貨処理装置を示す図で、（ａ）は正面図、（ｂ）は側面図である。なお、同図（ａ）では、後述する硬貨収容部２０からカセット２１を取り外した状態を示している。硬貨処理装置１は、上部に配置された投入硬貨を選別する硬貨選別部（アクセプタ）１０と、下部に配置された硬貨を金種毎に蓄積収容する硬貨収容部２０とを一体に備えて構成されている。
【００１８】
硬貨選別部１０内には、図示は省略するが、硬貨投入口１１から投入された硬貨の正偽を判別する電気的あるいは磁気的機構を有してなる硬貨センサと、正貨と見なされた硬貨を金種毎に振り分ける硬貨振り分けレバーなどの硬貨振分手段とが設置されている。この硬貨選別部１０では、硬貨投入口１１に投入された硬貨が硬貨センサで正偽貨に振り分けられ、その後、正貨と見なされた硬貨が硬貨振分手段により金種毎に振り分けられる。金種毎に振り分けられた硬貨は、硬貨収容部２０に導かれて金種毎に収容される。なお、図１に示す符号１２は、投入された硬貨を後述する自動販売機１００（図２参照）の硬貨返却口１１６へそのまま戻すための返却片であり、自動販売機１００の返却レバー１１４の操作によって駆動されるものである。
【００１９】
硬貨収容部２０は、硬貨処理装置１の本体下部に設けた筐体部２５と、該筐体部２５に対して着脱自在であるカセット２１とを備えている。カセット２１は、硬貨選別部１０で選別された硬貨を蓄積収容するものであり、外形が略矩形の箱型に形成されていて、内部には、各種硬貨（例えば、１０円、５０円、１００円、５００円の各硬貨）の外径寸法に合わせた内径寸法を有する複数本のコインチューブ２２が設けられている。コインチューブ２２は、上端が硬貨を導入する開口部２２ａになっており、下端は、釣り銭の額に応じてコインチューブ２２内の硬貨を払い出すためのペイアウトスライドなど周知の硬貨払出部２３に接続されている。カセット２１は、少なくともコインチューブ２２の部分が透明あるいは半透明の樹脂材料などで構成されていて、収容されている硬貨の残量を外部から視認可能になっている。一方、筐体部２５には、カセットを装着するための略矩形状の凹部として形成されたカセット装着部２９が設けられている。カセット装着部２９は、硬貨処理装置１の前面に開口して設けられており、該前面からカセット２１を着脱可能になっている。
【００２０】
さらに、硬貨収容部２０には、カセット装着部２９内に設置したＬＥＤ（照明手段）２６と、カセット装着部２９へのカセット２１の着脱を検知する着脱検知スイッチ（カセット着脱検知手段）２７とが設けられている。ＬＥＤ２６は、矩形のシート状に形成されていて、表面の一部または全体が発光するように構成されている。このＬＥＤ２６は、カセット装着部２９の奥側の面２９ａ、すなわち、カセット装着部２９に装着されるカセット２１の裏面（後面）２１ａに対向する面２９ａに貼り付けられている。着脱検知スイッチ２７は、カセット装着部２９の奥側の面２９ａでＬＥＤ２６に隣接する位置に設置されている。この着脱検知スイッチ２７は、カセット装着部２９内に突出する押釦スイッチで、カセット２１がカセット装着部２９に完全に装着された状態で、カセット２１の裏面２１ａによって押圧されてオンするようになっている。
【００２１】
硬貨処理装置１には、図示は省略するが、ＬＥＤ２６の消灯・点灯を制御する制御手段が設けられている。この制御手段によって、ＬＥＤ２６は、着脱検知スイッチ２７のオン・オフに応じて消灯・点灯するようになっている。すなわち、カセット装着部２９にカセット２１が装着されたことが着脱検知スイッチ２７のオンによって検知されるとＬＥＤ２６が消灯し、カセット装着部２９からカセット２１が取り外されたことが着脱検知スイッチ２７のオフによって検知されるとＬＥＤ２６が点灯するようになっている。
【００２２】
さらに、硬貨処理装置１では、着脱検知スイッチ２７がカセット２１の装着を検知した後、所定時間が経過してからＬＥＤ２６を消灯するようにしている。すなわち、カセット２１が装着されたことが着脱検知スイッチ２７のオンによって検知されたとき、ＬＥＤ２６は直ちには消灯せず、所定時間後、例えば数秒間を経た後で消灯するように設定されている。
【００２３】
カセット２１の表面（前面）２１ｂにはつまみ２４が設けられている。つまみ２４は、図示しないバネなどの適当な付勢手段によって初期位置において上方に付勢された状態で停止しており、押下操作によって下方に移動可能になっている。また、カセット２１の上端から突出する係合レバー２８ａが設けられており、該係合レバー２８ａは、つまみ２４に連動して上下動するようになっている。つまみ２４が初期位置にあるとき、係合レバー２８ａがカセット２１の上端から突出した状態になっている。一方、カセット装着部２９には、係合レバー２８ａを係合させる凹形状の係合部２８ｂが設けられている。
【００２４】
カセット装着部２９に装着されたカセット２１を取り外すには、つまみ２４を押し下げることで係合レバー２８ａを下方に退避させ、係合レバー２８ａの係合部２８ｂへの係合を解除する。その状態で、カセット装着部２９からカセット２１を手前側に取り出す。一方、カセット装着部２９にカセット２１を装着するには、カセット２１を裏面２１ａ側からカセット装着部２９に挿入する。その際、係合レバー２８ａが係合部２８ｂの手前側の壁を乗り越えて係合部２８ｂに挿入されて係合する。これにより、カセット２１が係止状態でカセット装着部２９に装着される。カセット２１のコインチューブ２２に収容された硬貨の回収・補充を行う際には、上記の手順でカセット装着部２９からカセット２１を取り外す。
【００２５】
また、硬貨選別部１０の前面には、表示ランプ１４や各種操作用のボタン１５を配列してなる操作部１３が設けられている。表示ランプ１４には、アクセプタ異常ランプ１４ａや本体側異常ランプ１４ｂがある。アクセプタ異常ランプ１４ａは、硬貨選別部（アクセプタ）１０で硬貨の詰まりなどの異常が発生したときに点滅して異常を報知するランプである。本体側異常ランプ１４ｂは、硬貨収容部（本体側）２０のカセット２１が正常に装着されていない場合など、硬貨収容部２０に異常があるときに点滅して該異常を報知するランプである。また、各種操作用のボタン１５には、カセット２１の硬貨を取り除くためのインベントリーボタンなどがある。このインベントリーボタンは、各コインチューブ２２に対応するものがそれぞれ設けられている。
【００２６】
図２は、硬貨処理装置１を取り付ける自動販売機１００の構成例を示す図で、（ａ）は正面図、（ｂ）は側面図である。自動販売機１００は、前面に設けた前扉１０１が横開きで開閉するようになっている。前扉１０１の表面の上方には、商品サンプルを陳列する展示パネル部１１１が設けられており、該展示パネル部１１１の下方には、表示部１１２、紙幣投入口１１３、返却レバー１１４、硬貨投入口１１５、硬貨返却口１１６、商品取出口１１７などが配置されている。硬貨処理装置１は、前扉１０１の裏面側（内側）における硬貨投入口１１５の近傍に取り付けられている。したがって、硬貨処理装置１に収容されている硬貨の回収・補充などの作業を行う際には、自動販売機１００の前扉１０１を開いて硬貨処理装置１にアクセスする。
【００２７】
上記のような自動販売機１００では、通常、ルートマンと呼ばれる作業者が、商品の詰め替え時に自動販売機１００の前扉１０１を開ける。この際、硬貨処理装置１の硬貨収容部２０に十分なつり銭（硬貨）があるか否かを確認する。つり銭が不十分であれば、硬貨収容部２０のカセット２１を取り外してコインチューブ２２に硬貨を補充する。また、硬貨処理装置１内の硬貨を回収する必要がある場合には、カセット２１を取り外してコインチューブ２２内の硬貨を回収する。
【００２８】
ここで、本実施形態の硬貨処理装置１では、カセット装着部２９内に設置したＬＥＤ２６をカセット２１の着脱に応じて消灯・点灯させるようにしたので、カセット２１を取り外した際、カセット装着部２９及びその周辺がＬＥＤ２６によって明るく照らされるようになる。したがって、自動販売機１００が夜暗い場所などに設置されている場合でも、カセット２１に収容された硬貨の回収や補充の作業が行い易くなる。また、カセット２１の着脱に応じてＬＥＤ２６が消灯・点灯するようにしたので、カセット２１を取り外して硬貨処理装置１のメンテナンスなどを行えば、カセット装着部２９及びその周辺が明るく照らされて作業が行い易くなる。
【００２９】
また、カセット装着部２９へのカセット２１の着脱に応じてＬＥＤ２６が消灯・点灯するようにしたので、カセット２１が不完全な状態で装着されていると、ＬＥＤ２６が点灯したままになる。これにより、硬貨の補充・回収後にカセット２１を装着する際、万一、カセット２１が不完全な状態で装着されていれば、そのことを作業者に知らせることができるので、カセット２１の装着ミスを確実に防止できるようになる。また、カセット２１のコインチューブ２２の部分を透明又は半透明に構成したことで、カセット２１を透過するＬＥＤ２６の照明を利用してカセット２１内の硬貨の残量を確認することが可能となる。
【００３０】
また、上記構成に加えて、操作部１３のいずれかのボタン１５にＬＥＤ２６を点灯させる機能を割り当てておけば、該ボタン１５の操作によって、カセット２１の着脱状態に関わらず強制的にＬＥＤ２６を点灯させることができるようになる。この場合、例えば、ボタン１５を複数回（例えば三回）連続して押すなど、特定の操作を行った場合にＬＥＤ２６が点灯するように設定しておけば、該ボタン１５を本来の機能と兼用して用いることができる。こうすることで、硬貨処理装置１や自動販売機１００のメンテナンスを行う場合にＬＥＤ２６を常時点灯させておくことが可能となるので、メンテナンスがさらに行い易くなる。
【００３１】
その場合、カセット２１を透明又は半透明に構成していることで、カセット装着部２９にカセット２１を装着した状態で、カセット２１を透過するＬＥＤ２６の光によって硬貨処理装置１の全体を照らすことができる。したがって、硬貨処理装置１のメンテナンスなどの作業が行い易くなる。また、カセット２１を透過したＬＥＤ２６の光は、硬貨処理装置１だけでなく、自動販売機１００の前扉１０１の裏面や内部全体を広く照らすようになる。これにより、自動販売機１００の内部のメンテナンスが行い易くなる。
【００３２】
なお、操作部１３の本体側異常ランプ１４ｂは、カセット２１の不完全な装着だけでなく、他の異常でも点滅するように設定されている。このため、本体側異常ランプ１４ｂの点滅だけでは、カセット２１の不完全な装着に直ちに気付くことは難しい。これに対して、硬貨処理装置１では、カセット２１を装着した際に該カセット２１が正常に装着されていなければ、ＬＥＤ２６が点灯したままとなる。このように、ＬＥＤ２６をカセット２１の装着状態の異常を報知する手段として利用することができるため、カセット２１の装着状態に異常があれば、作業者が直ちに気付くことができる。したがって、カセット２１の装着ミスを確実に防止できるようになる。
【００３３】
本実施形態では、照明手段としてシート状のＬＥＤ２６を用いた場合を説明したが、本発明の照明手段はこれに限らず、シート状以外の形状のＬＥＤでもよいし、ＬＥＤ以外にも電球や蛍光灯など他の種類の光源であってもよい。また、照明手段の設置位置は、カセット装着部２９内の奥側の面２９ａに限らず、カセット装着部２９内の側面や上下面など他の位置であってもよい。さらにいえば、照明手段の設置位置は筐体部２５上であればカセット装着部２９内には限られず、例えば筐体部２５の前面におけるカセット装着部２９の周囲などに設置することも可能である。また、照明手段の設置数は一個には限らず、複数個を設置することも可能である。
【００３４】
〔第２実施形態〕
次に、本発明の第２実施形態にかかる硬貨処理装置について説明する。なお、第２実施形態の説明及び対応する図面においては、第１実施形態と同一又は相当する構成部分には同一の符号を付し、以下ではその部分の詳細な説明は省略する。また、以下で説明する事項以外の事項、及び図示する以外の事項については、第１実施形態と同じである。
【００３５】
図３は、第２実施形態の硬貨処理装置１−２を取り付ける自動販売機１００−２を示す図で、（ａ）は正面図、（ｂ）は側面図である。本実施形態の硬貨処理装置１−２は、ＬＥＤ２６を消灯・点灯させるための機構が異なっている点を除けば、第１実施形態の硬貨処理装置１と基本的な構造は同じである。すなわち、硬貨処理装置１では、カセット装着部２９へのカセット２１の着脱を検知する着脱検知スイッチ２７のオン・オフに応じてＬＥＤ２６が消灯・点灯するようになっていたが、自動販売機１００−２の前扉１０１には、該前扉１０１の開閉状態を検知する開閉検知スイッチ（扉開閉検知手段）３０が設けられており、この開閉検知スイッチ３０からの検知信号を自動販売機１００−２側の図示しない制御装置を介して硬貨処理装置１−２が受けるようになっている。これにより、開閉検知スイッチ３０によって検知された自動販売機１００−２の前扉１０１の開状態・閉状態に応じてＬＥＤ２６を点灯・消灯するようになっている。開閉検知スイッチ３０は、前扉１０１の合わせ面など、前扉１０１が完全に閉じたときに該前扉１０１によって押圧されてオンすることが可能な位置に取り付けられている。なお、開閉検知スイッチ３０は、従来から自動販売機に備え付けられているものを利用することが可能である。
【００３６】
硬貨処理装置１−２では、自動販売機１００−２の前扉１０１の開状態・閉状態の検知に応じてＬＥＤ２６が点灯・消灯するので、前扉１０１を開けるだけで硬貨処理装置１−２のカセット２１及びカセット装着部２９やその周辺が照らされるようになる。したがって、自動販売機１００−２内におけるカセット２１の位置を容易に確認でき、硬貨の回収・補充が行い易くなる。また、前扉１０１を開けた際にＬＥＤ２６によって前扉１０１の裏面側（内側）が明るく照らされるようになるので、硬貨処理装置１−２だけでなく、周辺の各部のメンテナンスなども行い易くなる。また、前扉１０１の開閉に応じてＬＥＤ２６が自動的に点灯・消灯するようになるので、ＬＥＤ２６を点灯・消灯させる操作が不要になり、作業者の手間が軽減される。
【００３７】
また、硬貨処理装置１−２では、自動販売機１００−２の前扉１０１を開けると、カセット装着部２９にカセット２１が装着された状態でＬＥＤ２６が点灯するようになる。したがって、カセット装着部２９に装着されたカセット２１をＬＥＤ２６の光が透過することで、カセット２１に収容されている硬貨の残量を目視で確認できるようになる。
【００３８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。
【００３９】
例えば、上記各実施形態では、飲料などを販売する自動販売機１００（１００−２）に硬貨処理装置１を取り付けた場合を示したが、本発明の硬貨処理装置は、自動販売機以外にも、両替機や遊技機、あるいは駐車場などに設置された料金回収装置など、硬貨の授受を伴う種々の装置に取り付けることが可能である。
【図面の簡単な説明】
【００４０】
【図１】本発明の第１実施形態にかかる硬貨処理装置を示す図で、（ａ）は正面図、（ｂ）は側面図である。
【図２】第１実施形態の硬貨処理装置を取り付ける自動販売機を示す図で、（ａ）は正面図、（ｂ）は側面図である。
【図３】第２実施形態の硬貨処理装置を取り付ける自動販売機を示す図で、（ａ）は正面図、（ｂ）は側面図である。
【符号の説明】
【００４１】
１，１−２  硬貨処理装置
１０    硬貨選別部（アクセプタ）
１１    硬貨投入口
１２    返却片
１３    操作部
１４    表示ランプ
１４ａ    アクセプタ異常ランプ
１４ｂ    本体側異常ランプ
１５    ボタン
２０    硬貨収容部（本体側）
２１    カセット
２２    コインチューブ
２３    硬貨払出部
２４    つまみ
２５    筐体部
２６    ＬＥＤ（照明手段）
２７    着脱検知スイッチ（着脱検知手段）
２８ａ    係合レバー
２８ｂ    係合部
２９    カセット装着部
３０    開閉検知スイッチ（扉開閉検知手段）
１００，１００−２  自動販売機
１０１    前扉（扉）
１１１    展示パネル部
１１２    表示部
１１３    紙幣投入口
１１４    返却レバー
１１５    硬貨投入口
１１６    硬貨返却口
１１７    商品取出口
【図１】
2009157657.tif 000003
【図２】
2009157657.tif 000004
【図３】
2009157657.tif 000005